(57)【要約】【課題】蓋体の隆起載置部上に容器体の積重部を積み重ねた状態において、蓋体の嵌合凹部の底面と容器体の嵌合凸部の底面との間に少許の間隙が形成されることになり、したがって、蓋体上に容器体を積み重ねたとき、隆起載置部と積重部とが当接することにより蓋体の上面中央部分の当接が無くなり、弁当使用時において目立つ部分の傷や汚れを抑制することができ、繰り返し使用においても、商品価値を維持することができる。【解決手段】蓋体２の上面部２ｅの左右両側部分に隆起載置部２ａを形成すると共に隆起載置部を形成することにより蓋体の上面中央部分に嵌合凹部２ｂを形成し、容器体の底面中央部分に蓋体の嵌合凹部に嵌合可能な嵌合凸部１ｂを形成すると共に嵌合凸部を形成することにより容器体１の左右両側部分に隆起載置部上に積み重ね可能な積重部１ｃを形成してなる。【選択図】図１
2008029649.tif 000002
【特許請求の範囲】
【請求項１】
合成樹脂製の容器体及び蓋体からなり、上記蓋体の上面部の左右両側部分に隆起載置部を形成すると共に該隆起載置部を形成することにより該蓋体の上面中央部分に嵌合凹部を形成し、上記容器体の底面中央部分に該蓋体の嵌合凹部に嵌合可能な嵌合凸部を形成すると共に該嵌合凸部を形成することにより該容器体の左右両側部分に該隆起載置部上に積み重ね可能な積重部を形成し、かつ、該蓋体の隆起載置部上に該容器体の積重部を積み重ねた状態で該蓋体の嵌合凹部の底面と該容器体の嵌合凸部の底面との間に少許の間隙を設けて構成してなることを特徴とする弁当箱。
【請求項２】
上記蓋体の隆起載置部の上面をメタリック層に形成してなることを特徴とする請求項１記載の弁当箱。
【請求項３】
上記蓋体の隆起載置部の上面を微細凹凸面に形成してなることを特徴とする請求項１又は２記載の弁当箱。
【請求項４】
上記蓋体の隆起載置部を除く上記嵌合凹部及びその他の上面部を透明又は半透明の透視部に形成してなることを特徴とする請求項１〜３のいずれか１項に記載の弁当箱。
【請求項５】
上記蓋体上に別の上記蓋体を積み重ねた状態で該蓋体と別の該蓋体との間に流水間隙を設けてなることを特徴とする請求項１〜４のいずれか１項に記載の弁当箱。
【発明の詳細な説明】
【技術分野】
【０００１】
本発明は例えば惣菜等を収納する使い捨ての中敷きが収納される所謂通い弁当箱に用いられる弁当箱に関するものである。
【背景技術】
【０００２】
従来、この種の弁当箱として、大量の弁当を定期的に供給するため、蓋体と容器体とからなる弁当箱の中に惣菜等を収納する使い捨ての中敷きを収納した所謂通い弁当が知られている。
【特許文献１】特開平７−２３８１３号公報
【発明の開示】
【発明が解決しようとする課題】
【０００３】
しかしながらこの種の通い弁当箱は、限られた時間内で大量に洗浄乾燥しなければならず、手間の掛かる作業となっていると共に通い弁当箱は注文主に対して運搬回収が繰り返され、繰り返し使用されるものであり、洗浄時に加えて運搬回収に際して弁当箱の底面はまだしも上面に傷や汚れが付くことにより、弁当の商品価値を低下させることがあるという不都合を有している。
【課題を解決するための手段】
【０００４】
本発明はこれらの不都合を解決することを目的とするもので、本発明のうちで、請求項１記載の発明は、合成樹脂製の容器体及び蓋体からなり、上記蓋体の上面部の左右両側部分に隆起載置部を形成すると共に該隆起載置部を形成することにより該蓋体の上面中央部分に嵌合凹部を形成し、上記容器体の底面中央部分に該蓋体の嵌合凹部に嵌合可能な嵌合凸部を形成すると共に該嵌合凸部を形成することにより該容器体の左右両側部分に該隆起載置部上に積み重ね可能な積重部を形成し、かつ、該蓋体の隆起載置部上に該容器体の積重部を積み重ねた状態で該蓋体の嵌合凹部の底面と該容器体の嵌合凸部の底面との間に少許の間隙を設けて構成してなることを特徴とする弁当箱にある。
【０００５】
又、請求項２記載の発明は、上記蓋体の隆起載置部の上面をメタリック層に形成してなることを特徴とするものであり、又、上記蓋体の隆起載置部の上面を微細凹凸面に形成してなることを特徴とするものであり、又、請求項４記載の発明は、上記蓋体の隆起載置部を除く上記嵌合凹部及びその他の上面部を透明又は半透明の透視部に形成してなることを特徴とするものであり、又、請求項５記載の発明は、上記蓋体上に別の上記蓋体を積み重ねた状態で該蓋体と別の該蓋体との間に流水間隙を設けてなることを特徴とするものである。
【発明の効果】
【０００６】
本発明は上述の如く、請求項１記載の発明にあっては、蓋体の隆起載置部上に容器体の積重部を積み重ねた状態において、蓋体の嵌合凹部の底面と容器体の嵌合凸部の底面との間に少許の間隙が形成されることになり、したがって、蓋体上に容器体を積み重ねたとき、隆起載置部と積重部とが当接することにより蓋体の上面中央部分の当接が無くなり、弁当使用時において目立つ部分の傷や汚れを抑制することができ、繰り返し使用においても、弁当箱としての商品価値を維持することができる。
【０００７】
又、請求項２記載の発明にあっては、上記蓋体の隆起載置部の上面をメタリック層に形成してなるから、メタリック層の硬質性により隆起載置部の傷や汚れを抑制することができ、又、請求項３記載の発明にあっては、上記蓋体の隆起載置部の上面を微細凹凸面に形成してなるから、隆起載置部の傷や汚れを抑制することができ、水分付着後の沁みを抑制することができ、又、請求項３記載の発明にあっては、上記蓋体の隆起載置部を除く上記嵌合凹部及びその他の上面部を透明又は半透明の透視部に形成してなるから、容器体に盛りつけられたごはんや惣菜を外部から視認することができ、弁当としての商品価値を高めることができ、又、請求項５記載の発明にあっては、上記蓋体上に別の上記蓋体を積み重ねた状態で蓋体と別の蓋体との間に流水間隙を設けてなるから、洗浄水は間隙から上面部を介して流水間隙より速やかに流下することになり、汚れを一層抑制することができる。
【発明を実施するための最良の形態】
【０００８】
図１乃至図１４は本発明の実施の形態例を示し、１は容器体、２蓋体であって、いずれも合成樹脂により製作され、図２、図８の如く、蓋体２の上面部の左右両側部分に隆起載置部２ａ・２ａが形成され、この隆起載置部２ａ・２ａが形成されることにより蓋体１の上面中央部分に嵌合凹部２ｂが形成され、この隆起載置部２ａ・２ａの上面にメタリック層２ｃ・２ｃが形成され、かつ、この隆起載置部２ａ・２ａの上面たるメタリック層２ｃ・２ｃの上面は微細凹凸面２ｄ・２ｄに形成され、更に、隆起載置部２ａ・２ａを除く上記嵌合凹部２ｂ及びその他の上面部２ｅは透明又は半透明の透視部２ｆに形成され、このその他の上面部２ｅはそれぞれ外方に向かって下る弧状面に形成され、更に、蓋体２の周縁部に垂下部２ｇが形成され、垂下部２ｇの上面に載置段部２ｈが形成され、垂下部２ｇの内面に容器体１の開口周縁部１ａ上に載置可能な積み段部２ｊが形成されている。
【０００９】
一方、図４の如く、上記容器体１の底面中央部分に蓋体２の嵌合凹部２ｂに嵌合可能な嵌合凸部１ｂが形成され、この嵌合凸部１ｂが形成されることにより容器体１の左右両側部分に隆起載置部２ａ・２ａ上に積み重ね可能な積重部１ｃが形成され、かつ、容器体１の開口周縁部１ａに他の容器体１の開口周縁部１ａ上に載置可能な段部１ｄが形成され、上記嵌合凸部１ｂ及び嵌合凹部２ｂの各角部は弧面に形成されている。
【００１０】
かつ、この場合、図８の如く、上記蓋体２の隆起載置部２ａ・２ａ上に容器体１の積重部１ｂを積み重ねた状態で蓋体２の嵌合凹部２ｂの底面と容器体１の嵌合凸部１ｂの底面との間に少許の間隙Ｈを設けて構成している。
【００１１】
又、この場合、図１２の如く、上記蓋体２の上に別の上記蓋体２を積み重ねた状態で蓋体２と別の蓋体２との間に上記上面部２ｅ・２ｅにメタリック層２ｃ・２ｃを形成しないことにより流水間隙Ｒを形成するようにしている。このメタリック層２ｃ・２ｃとしては、例えば、樹脂中にアルミニウム粉やアルミニウムペーストを混入し、インモールドの二回成型により形成され、その他、他の成型方法や転写方法により形成される光輝性のメタリック層が挙げられる。
【００１２】
この実施の形態例は上記構成であるから、図７、図８の如く、蓋体２の隆起載置部２ａ・２ａ上に容器体１の積重部１ｃを積み重ねた状態において、蓋体２の嵌合凹部２ｂの底面と容器体１の嵌合凸部１ｂの底面との間に少許の間隙Ｈが形成されることになり、したがって、蓋体２上に容器体１を積み重ねたとき、隆起載置部２ａ・２ａと積重部１ｃとが当接することにより蓋体２の上面中央部分の当接が無くなり、弁当使用時において目立つ部分の傷や汚れを抑制することができ、繰り返し使用においても、商品価値を維持することができる。
【００１３】
又、この場合、上記蓋体２の隆起載置部２ａ・２ａの上面をメタリック層２ｃに形成してなるから、メタリック層の硬質性により隆起載置部２ａ・２ａの傷や汚れを抑制することができ、又、この場合、上記蓋体２の隆起載置部２ａ・２ａの上面を微細凹凸面２ｄに形成してなるから、隆起載置部２ａ・２ａの傷や汚れを抑制することができ、水分付着後の沁みを抑制することができ、又、この場合、上記蓋体２の隆起載置部２ａ・２ａを除く上記嵌合凹部２ｂ及びその他の上面部２ｅを透明又は半透明の透視部２ｆに形成してなるから、容器体１に盛りつけられたごはんや惣菜を外部から視認することができ、弁当としての商品価値を高めることができ、又、この場合、上記蓋体２上に別の上記蓋体２を積み重ねた状態で蓋体２と別の蓋体２との間に流水間隙Ｒを設けてなるから、図１２の如く、洗浄水は間隙Ｈから上面部２ｅを介して流水間隙Ｒより速やかに流下することになり、汚れを一層抑制することができる。
【００１４】
尚、本発明は上記実施の形態例に限られるものではなく、容器体１、蓋体２、隆起載置部２ａ・２ａの構造や形態等は適宜変更して設計される。
【００１５】
以上、所期の目的を充分達成することができる。
【図面の簡単な説明】
【００１６】
【図１】本発明の実施の形態例の斜視図である。
【図２】本発明の実施の形態例の容器体と蓋体の分離斜視図である。
【図３】本発明の実施の形態例の平面図である。
【図４】本発明の実施の形態例の底面図である。
【図５】本発明の実施の形態例の断面図である。
【図６】本発明の実施の形態例の断面図である。
【図７】本発明の実施の形態例の積重状態の断面図である。
【図８】本発明の実施の形態例の拡大積重状態の断面図である。
【図９】本発明の実施の形態例の積重状態の断面図である。
【図１０】本発明の実施の形態例の拡大積重状態の断面図である。
【図１１】本発明の実施の形態例の蓋体と蓋体の積重状態断面図である。
【図１２】本発明の実施の形態例の蓋体と蓋体の積重状態断面図である。
【図１３】本発明の実施の形態例の容器体と容器体の積重状態の断面図である。
【図１４】本発明の実施の形態例の容器体と容器体の積重状態の断面図である
【符号の説明】
【００１７】
Ｈ    間隙
Ｒ    流水間隙
１    容器体
１ｂ    嵌合凸部
１ｃ    積重部
２    蓋体
２ａ    隆起載置部
２ｂ    嵌合凹部
２ｃ    メタリック層
２ｄ    微罪凹凸面
２ｅ    上面部
２ｆ    透視部
【図１】
2008029649.tif 000003
【図２】
2008029649.tif 000004
【図３】
2008029649.tif 000005
【図４】
2008029649.tif 000006
【図５】
2008029649.tif 000007
【図６】
2008029649.tif 000008
【図７】
2008029649.tif 000009
【図８】
2008029649.tif 000010
【図９】
2008029649.tif 000011
【図１０】
2008029649.tif 000012
【図１１】
2008029649.tif 000013
【図１２】
2008029649.tif 000014
【図１３】
2008029649.tif 000015
【図１４】
2008029649.tif 000016